(57)【特許請求の範囲】
【請求項１】
製氷機に製氷用水を供給するため、製氷用水を貯水する貯水タンクと、該貯水タンク内の水を製氷する製氷部と、該製氷部に設けられた冷却器と、該冷却器と共に冷凍サイクルを構成する圧縮機及び凝縮器と、該凝縮器の温度を検知する凝縮器温度センサと、該凝縮器温度センサの検知温度が、運転停止中には第１の所定温度以下、運転中には第１の所定温度より高い第２の所定温度以下を検知した場合、外気温度が低温であることを報知する報知手段と、前記貯水タンクへ給水する給水管に設けたヒータとを備え、前記凝縮器温度センサが前記第１又は第２の所定温度以下を検知した場合、前記ヒータに通電することを特徴とする製氷機。
【発明の詳細な説明】
【０００１】
【発明の属する技術分野】
本発明は、所謂オーガ式製氷機や逆セル型製氷機又はプレート型製氷機等の自動製氷機に関するものである。
【０００２】
【従来の技術】
従来この種製氷機は、例えば実公平８−６２１４号公報（Ｆ２５Ｃ１／２２）には、製氷機ハウジングを備え、この製氷機ハウジング内に、運転に伴って熱源となる圧縮機及び凝縮器と、製氷を行う製氷部と、この製氷部に製氷水を供給する製氷水タンクと、製氷水を排水する排水管路を含む水系統とを配設すると共に、更に、前記製氷水タンクに給水するための電磁式給水弁と、この排水管路に設けられた電磁式排水弁とを備えた製氷機において、前記水系統の外面に接触若しくは近接して設けられた感温部を有する温度検知器と、この温度検知器、前記給水弁及び前記排水弁に電気的に接続され、前記感温部が所定の下限設定値を検知した時に、前記水系統から排水すべく前記給水弁を閉弁し、前記排水弁を開弁する制御装置とを備えてなる製氷機が開示されている。
【０００３】
【発明が解決しようとする課題】
上述した従来技術では、低外気温時に水系統から排水して運転しない様に制御できるが、特別に水経路の温度を検知する感温部を取り付けなければならず、コストアップに繋がる問題を有していた。
また、感温部が故障した場合、外気温は０℃以上で、製氷運転は十分に可能な状態であるのにも関わらず製氷運転できない問題があった。
【０００４】
本発明は上述した問題点に鑑みてなされたもので、低コストで、信頼性の高い低温度検知を行ことを目的とした製氷機を提供する。
【０００５】
【課題を解決するための手段】
請求項１の発明では、製氷機に製氷用水を供給するため、製氷用水を貯水する貯水タンクと、該貯水タンク内の水を製氷する製氷部と、該製氷部に設けられた冷却器と、該冷却器と共に冷凍サイクルを構成する圧縮機及び凝縮器と、該凝縮器の温度を検知する凝縮器温度センサと、該凝縮器温度センサの検知温度が、運転停止中には第１の所定温度以下、運転中には第１の所定温度より高い第２の所定温度以下を検知した場合、外気温度が低温であることを報知する報知手段と、前記貯水タンクへ給水する給水管に設けたヒータとを備え、前記凝縮器温度センサが前記第１又は第２の所定温度以下を検知した場合、前記ヒータに通電することを特徴とする製氷機を提供する。
【０００６】
従って、製氷運転に支障を来す、凝縮器フィルターの目詰まりやファンロック等を検知する凝縮器温度センサを用いて低外気温を検知することができ、特別な温度センサを新たに設けることなく低外気温を検知することができ、しかも、製氷運転中と運転停止中に関わらず正確な外気温度保障が可能となり、低外気温度時には、ヒータに通電することにより、低外気温度であっても製氷動作を継続することができ、従って、低コストで、信頼性の高い低温度検知を行うと共に、低外気温時であっても氷の提供を行うことができる製氷機を提供することができる。
【０００９】
【発明の実施の形態】
以下、本発明の実施の形態を図面に基づき詳述する。図１は本発明のオーガ式製氷機ＩＭの縦断側面図、図２は本発明のオーガ式製氷機ＩＭの回路図、図３は本発明のフローチャートを示している。
オーガ式製氷機ＩＭは、断熱箱体に構成された貯氷庫を備え、この貯氷庫内に製氷された氷を貯氷するもので、単に製氷機として用いられる他、自動販売機等にも搭載される。
【００１０】
このオーガ式製氷機ＩＭは、製氷するため冷却器２を備える製氷部１と、この製氷部１の冷却器２と共に冷凍サイクルを構成する凝縮器３、圧縮機４、及び膨張弁５、デハイドレータ６とを冷媒配管にて接続して構成している。尚、７は前記凝縮器３を冷却するための凝縮器冷却用送風機である。
また、前記製氷部１に水を供給するため、水道管８と給水弁ＷＶ２を介して接続され、水道水を貯溜する貯水タンク９が設けられており、この貯水タンク９には、オーバーフロー管１０が接続されると共に、貯水タンク９内に満水位スイッチ２２と低水位スイッチ２３とからなる水位検出装置が設けられている。また、６０は、水道管８に捲回された加熱用の凍結防止ヒータである。
【００１１】
更に、貯水タンク９に貯溜された水は、給水管１２にて前記製氷部１に導入され、不要な水は排水管１３にて排水される。また、この排水管１３は前記オーバーフロー管１０に排水弁ＷＶ１を介して接続されている。
前記製氷部１は、内壁を平滑な円筒状内面とされたステンレス製の冷却円筒１５内にオーガ１６を同心的に挿入し、前記冷却円筒１５の外壁にパイプ状の前記冷却器２を螺旋状に密着巻付して構成されている。また、これら冷却円筒１５と冷却器２との隙間には両者の結合と熱伝達性能の向上を目的としてハンダが注入される。
【００１２】
また、前記オーガ１６は、下部を下部軸受け１７にて、上部を氷圧縮経路を構成する上部軸受け１８にて軸支されている。また、この上部軸受け１８にて圧縮された氷は、その上部に設けられている氷導出部１９（シューター）から図示しない貯氷庫に導出される。
更に、冷却円筒１５の下部には、オーガ１６を回転駆動するためオーガモータ４５を備える駆動装置２０が減速装置２１を介して接続されている。
【００１３】
次に、図２を参照して以下に回路図を説明する。Ｋは、リミットセンサ３０、凝縮器の温度を検知する凝縮器温度センサ３１（ＣＴセンサ）、冷却器の温度を検知する冷却器センサ３２、貯氷センサ３３が接続されたコントロール基板で、基板用トランス３４から電源を得ている。尚、凝縮器温度センサ３１は、凝縮器３の出口側の冷媒配管に取り付けられている。
【００１４】
また、前記コントロール基板Ｋには、各センサ３０、３１、３２、３３の他、操作基板３５、表示基板３６、高圧スイッチ３７、及び前記満水位スイッチ２２、低水位スイッチ２３が接続されている。
３８は操作スイッチで、オーガ式製氷機ＩＭの動作を開始するものである。そして、操作スイッチ３８には、コンプレッサ４のコンプレッサモータ３９をＯＮ、ＯＦＦするコンプレッサ用リレー４０、始動コンデンサ４１及び運転コンデンサ４２、コンプレッサモータ始動リレー４３、コンプレッサモータ用オーバーロードリレー４４が直列に接続されている。
【００１５】
更に、コンプレッサモータ始動リレー４３とコンプレッサモータ用オーバーロードリレー４４との間から前記コントロール基板Ｋに接続している。
また、前記コントロール基板Ｋには、前記凍結防止ヒータ６０に接続されたリレーＲ５と、オーガモータ４５及び運転コンデンサ４６に接続されたリレーＲ４と、コンデンシングファンモータ４５及びコンプレッサ用リレーＲＬに接続されたリレーＲ３と、排水弁ＷＶ１に接続されたリレーＲ２と、給水弁ＷＶ２に接続されたリレーＲ１とを備えている。尚、コンプレッサ用リレーＲＬは、コンプレッサ用リレー４０をＯＮ、ＯＦＦさせるもので、４７は前記オーガモータ４５のオーバーロードリレーである。
【００１６】
更に、コントロール基板Ｋは、前記オーガモータ４５への通電時間を計測して積算する積算手段が設けられている。
また、前記操作基板３５には、モード切換スイッチ４８、リセットスイッチ４９、送りスイッチ５０、排水スイッチ５１、排水ランプ５２が夫々設けられている。
【００１７】
更に、表示基板３６は、警報手段として低外気温警報ランプ５３、停止ランプ５４を備え、負の表示、即ちマイナス表示が可能な構造となっている。尚、警報手段として低外気温警報ランプ５３の他、ブザー等であっても良い。
上述した構造において、以下に図３のフローチャートを参照して本発明の動作を説明する。
【００１８】
先ず、製氷運転中か否か判断し（ステップＳ１）、製氷運転中であれば（Ｙ）、凝縮器温度センサ３１が５℃以下であるか否か判断する（ステップＳ２）。凝縮器温度センサ３１が５℃以下でない場合（Ｎ）、低外気温警報の出力を停止し（ステップＳ３）、凍結防止ヒータ６０をＯＦＦする（ステップＳ４）。
また、ステップＳ１で、製氷運転中でない場合（Ｎ）、凝縮器温度センサ３１が０℃以下であるか否か判断する（ステップＳ５）。ここで、０℃以下でない場合（Ｎ）、ステップＳ３及びステップＳ４を実行、即ち低外気温警報の出力を停止して、凍結防止ヒータ６０をＯＦＦとする。
【００１９】
また、ステップＳ２で凝縮器温度センサ３１の５℃以下である場合（Ｙ）、若しくはステップＳ５で凝縮器温度センサ３１が０℃以下である場合（Ｙ）には、低外気温警報を出力し（ステップＳ６）、低外気温警報ランプ５３を点灯させ、凍結防止ヒータ６０をＯＮする（ステップＳ７）。
尚、運転開始直後に誤判断する可能性があるため、１０分間遅延させた後に、温度検知を行っている。
【００２４】
【発明の効果】
以上詳述した如く請求項１の発明によれば、製氷機に製氷用水を供給するため、製氷用水を貯水する貯水タンクと、該貯水タンク内の水を製氷する製氷部と、該製氷部に設けられた冷却器と、該冷却器と共に冷凍サイクルを構成する圧縮機及び凝縮器と、該凝縮器の温度を検知する凝縮器温度センサと、該凝縮器温度センサの検知温度が、運転停止中には第１の所定温度以下、運転中には第１の所定温度より高い第２の所定温度以下を検知した場合、外気温度が低温であることを報知する報知手段と、前記貯水タンクへ給水する給水管に設けたヒータとを備え、前記凝縮器温度センサが前記第１又は第２の所定温度以下を検知した場合、前記ヒータに通電することを特徴とする製氷機を提供する。
【００２５】
このため、製氷運転に支障を来す、凝縮器フィルターの目詰まりやファンロック等を検知する凝縮器温度センサを用いて低外気温を検知することができ、特別な温度センサを新たに設けることなく低外気温を検知することができ、しかも、製氷運転中と運転停止中に関わらず正確な外気温度保障が可能となり、低外気温度時には、ヒータに通電することにより、低外気温度であっても製氷動作を継続することができ、従って、低コストで、信頼性の高い低温度検知を行うと共に、低外気温時であっても氷の提供を行うことができる製氷機を提供することができる。
【図面の簡単な説明】
【図１】本発明のオーガ式製氷機の縦断側面図である。
【図２】本発明のオーガ式製氷機の電気回路図である。
【図３】本発明のオーガ式製氷機の動作を説明するフローチャートである。
【符号の説明】
ＩＭ  オーガ式製氷機
１  製氷部
２  冷却器
３  凝縮器
４  圧縮機
９  貯水タンク
５３  低外気温警報ランプ
６０  凍結防止ヒータ
【図１】
0003842840.tif 000002
【図２】
0003842840.tif 000003
【図３】
0003842840.tif 000004